(57)【要約】【課題】簡単な構成で施解錠操作回数を確認できる。【解決手段】施解錠操作回数検出装置１は、扉枠４側に設けられた錠受けに対してデッドボルト１１を進退動させて錠を施解錠する施解錠機構１０の施解錠操作回数を検出するもので、デッドボルト１１が突出した際に、その突出動作を検出して検出信号を出力する検出部４１と、検出部４１から出力された検出信号を計数し、この計数値を施解錠機構１０の施解錠操作回数として表示する計数表示部４２とを備える。【選択図】図１
2008057179.tif 000002
【特許請求の範囲】
【請求項１】
扉枠側に設けられた錠受けに対してデッドボルトを進退動させて錠を施解錠する施解錠機構の施解錠操作回数を検出する施解錠操作回数検出装置であって、
前記デッドボルトが突出した際に、その突出動作を検出して検出信号を出力する検出部と、
該検出部から出力される検出信号を計数し、この計数値を前記施解錠機構の施解錠操作回数として表示する計数表示部とを備えたことを特徴とする施解錠操作回数検出装置。
【請求項２】
前記検出部と前記計数表示部とが扉に配設される錠ケースに内蔵され、前記施解錠操作回数の表示が開口窓を通じて外部から視認可能としたことを特徴とする請求項１記載の施解錠操作回数検出装置。
【請求項３】
前記検出部と前記計数表示部とが前記扉枠の錠受けに設けられ、前記施解錠操作回数の表示が開口窓を通じて外部から視認可能としたことを特徴とする請求項１記載の施解錠操作回数検出装置。
【発明の詳細な説明】
【技術分野】
【０００１】
本発明は、簡単な構成で錠前の施解錠操作の回数を確認できる施解錠操作回数検出装置に関するものである。
【背景技術】
【０００２】
従来より、一般住宅、マンションなどの集合住宅、テナントビル、ホテルなどの各部屋や玄関扉の出入口には、施解錠機構を備えた錠前機構が設けられている。この錠前機構は、通常、シリンダ錠が配設されており、屋外側からは鍵を用いて、このシリンダ錠を回動操作し、デッドボルトを進退させて施錠及び解錠を行うようになっている。また、屋内側からはシリンダ錠に連動連結されているサムターンを回動操作することでデッドボルトを進退させて施錠及び解錠を行うようになっている。
【０００３】
また、近年では電気的駆動により錠の施解錠を行う電気錠が知られている。電気錠は、鍵やサムターンによる手動操作によって施錠及び解錠を行うことができる構造に対して、外部からの電気信号によって施錠及び解錠の操作が行える構造を付加したものである。従来、この電気錠には、外部からの電気信号によって施錠及び解錠を行う構造として、電磁ソレノイドを用いたものが知られている。
【０００４】
この電磁ソレノイドを用いた電気錠は、錠箱に対して進退自在なラッチボルトに対し、揺動する係合片が係合し、この係合片に電磁ソレノイドの直動する作動子が連結され、電磁ソレノイドによる作動子の進退動作が係合片を揺動させ、ラッチボルトとの係合が行われて施錠状態となる。また、係合片は、サムターンや鍵により回動するシリンダ錠に連動連結され、手動操作にて揺動可能とされている。
また、この種の電気錠を用いた電気錠システムとしては、例えば下記特許文献１に開示されているようなものが公知である。
【特許文献１】特開平１０−２５９３５号公報
【発明の開示】
【発明が解決しようとする課題】
【０００５】
しかしながら、現在、錠前を操作した際の施解錠操作回数（例えばデッドボルトの進退の回数）を施解錠機構自体や外部に設けて容易に確認できる施解錠装置がなく、作動不良等の顧客からのクレーム発生時に耐久回数の寿命が原因で発生しているのかどうかが判断できず、顧客を説得しずらいという課題があった。
【０００６】
そこで、本発明は上記問題点に鑑みてなされたものであり、極めて簡単な構造により施解錠操作回数を確認することができる施解錠操作回数検出装置を提供することを目的とするものである。
【課題を解決するための手段】
【０００７】
上記した目的を達成するために、請求項１に記載された施解錠操作回数検出装置は、扉枠側に設けられた錠受けに対してデッドボルトを進退動させて錠を施解錠する施解錠機構の施解錠操作回数を検出する施解錠操作回数検出装置であって、
前記デッドボルトが突出した際に、その突出動作を検出して検出信号を出力する検出部と、
該検出部から出力される検出信号を計数し、この計数値を前記施解錠機構の施解錠操作回数として表示する計数表示部とを備えたことを特徴とする。
【０００８】
請求項２に記載された施解錠操作回数検出装置は、請求項１の施解錠操作回数検出装置において、
前記検出部と前記計数表示部とが扉に配設される錠ケースに内蔵され、前記施解錠操作回数の表示が開口窓を通じて外部から視認可能としたことを特徴とする。
【０００９】
請求項３に記載された施解錠操作回数検出装置は、請求項１の施解錠操作回数検出装置において、
前記検出部と前記計数表示部とが前記扉枠の錠受けに設けられ、前記施解錠操作回数の表示が開口窓を通じて外部から視認可能としたことを特徴とする。
【発明の効果】
【００１０】
本発明の施解錠操作回数検出装置によれば、施解錠時のデッドボルトの進退動による施解錠操作回数を必要に応じて外部から容易に確認することができる。しかも、現物や外部に設けた簡単な装置によって施解錠操作回数の検出及び表示が行え、この検出結果を参考として製品の使用状況が分かるので、交換業者が顧客に対して交換を薦めるときの説得材料になり、交換時に顧客の了解を得易くなる。
【発明を実施するための最良の形態】
【００１１】
以下、本発明の最良の形態について、添付した図面を参照しながらそれぞれ詳細に説明する。図１は本発明に係る施解錠操作回数検出装置の概略構成を示すブロック図、図２は本発明に係る施解錠操作回数検出装置の第１形態の断面図、図３は本発明に係る施解錠操作回数検出装置の第２形態の断面図、図４は本発明に係る施解錠操作回数検出装置の第３形態の概略図である。
【００１２】
本発明に係る施解錠操作回数検出装置は、デッドボルトの進退動により施解錠される施解錠機構を含む錠前に採用することができる。以下では、本発明に係る施解錠操作回数検出装置を一般住宅の扉に配設された電気錠に採用した場合を例にとって説明する。なお、本例における施解錠操作回数とは、錠前を解錠状態から施錠状態にする際の操作回数を言う。
【００１３】
本発明に係る施解錠操作回数検出装置１は、図２に示すように、施解錠機構１０、制御部２０、駆動部３０、検出装置４０を備えて構成される。そして、第１形態の施解錠操作回数検出装置１は、図１に示すように、扉２の所定位置に配設された錠ケース３内に検出装置４０が一体に内蔵される構成である。
【００１４】
この施解錠操作回数検出装置１が採用される電気錠では、施解錠時に、現在の扉２の開閉状態や施解錠状態に応じた制御部２０からの指令（施錠指令又は解錠指令）に基づく駆動部３０の駆動により、扉枠４のストライク５に設けられた錠受けとしての係止穴５ａに対して施解錠機構１０の係止部材であるデッドボルト１１を直線変位により進退動させ、係止穴５ａに対してデッドボルト１１を突出（施錠時）又は引き込む（解錠時）ことにより錠前を電気的に施解錠している。
【００１５】
なお、施解錠機構１０は、制御部２０の制御によるデッドボルト１１の駆動制御に限らず、住人の手動操作によってデッドボルト１１を進退動させることもできる。この場合、室内側の扉２面に設けられた不図示のサムターンを所定方向に回動操作することでデッドボルト１１の進退動が操作できる。
【００１６】
施解錠機構１０は、図１に示すように、ストライク５の係止穴５ａ（錠受け）に対する直線変位の進退動により係止穴５ａに係止又は係止穴５ａから解除する係止部材としてのデッドボルト１１を含み、駆動部３０からの駆動力をデッドボルト１１に伝達する歯車伝達機構、デッドカムなどの従来より周知の動力伝達機構１２を備えている。また、図１に示すように、デッドボルト１１の所定箇所には突起部１１ａが設けられる。そして、施錠時には、デッドボルト１１が突出して、突起部１１ａが後述する検出部４１の接点機構４１ａに押圧接触することでデッドボルト１１の突出が検出される。
【００１７】
制御部２０は、外部から施錠指示又は解錠指示の入力があったときに、現在の錠前の施解錠状態や周知の扉開閉検出センサの検出信号（開扉や閉扉の扉状態モニタ信号）に基づく現在の扉２の開閉状態に応じて駆動部３０がデッドボルト１１を進退動するべく駆動部３０に施錠指令又は解錠指令を出力している。なお、制御部２０は、解錠指示を受けた後、扉２が完全に閉扉した状態から所定時間経過すると自動的に施錠指令を駆動部３０に出力する構成でもよい。
【００１８】
駆動部３０は、制御部２０からの施錠指令又は解錠指令によって駆動されるモータやアクチュエータなどで構成される。駆動部３０は、制御部２０から施錠指令が入力されたときに、デッドボルト１１をストライク５の係止穴５ａに突出して係止するように施解錠機構１０（動力伝達機構１２）を駆動している。また、制御部２０から解錠指令が入力されたときは、デッドボルト１１をストライク５の係止穴５ａから引き込むように施解錠機構１０（動力伝達機構１２）を駆動している。
【００１９】
錠ケース３に内蔵される検出装置４０は、図１及び図２に示すように、検出部４１と計数表示部４２とを備えて構成される。この検出装置４０は、施錠時に制御部２０の制御による自動操作、又は住人の手動操作によって突出するデッドボルト１１の動作回数を計数し、この計数値を施解錠操作回数として表示制御している。
【００２０】
検出部４１は、デッドボルト１１の突出を検出する接点スイッチやレバーからなる接点機構４１ａを備えたマイクロスイッチで構成される。図１に示すように、検出部４１は、錠ケース３内の壁面に配置される。また、接点機構４１ａは、デッドボルト１１が突出しきった位置で接点が閉じるようにデッドボルト１１の突起部１１ａの移動軌跡上に設けられる。検出部４１は、施錠時に自動操作又は手動操作によって突出したデッドボルト１１がストライク５の係止穴５ａ（錠受け）に挿入された際に、デッドボルト１１の突起部１１ａがデッドボルト１１の進退動に伴う直線移動により検出部４１の接点機構４１ａに押圧接触する。これにより、デッドボルト１１が突出したことを検出し、この検出した検出信号を計数表示部４２に出力している。なお、検出部４１は、施錠時のデッドボルト１１の突出の度に検出を行い、その都度計数表示部４２に検出信号に出力している。
【００２１】
計数表示部４２は、図１に示すように、検出部４１の上方に位置して錠ケース３内の壁面に配置され、検出部４１と電気的に接続されている。この計数表示部４２では、検出部４１から出力された検出信号を計数し、この計数値を施解錠操作回数として表示制御している。
【００２２】
計数表示部４２は、図２に示すように、計数手段４２ａ、表示手段４２ｂ、電源部４２ｃを備えて構成される。計数手段４２ａは、デッドボルト１１が突出した際に、検出部４１から出力される検出信号を計数し、その計数値を計数データとして表示手段４２ｂに出力している。
【００２３】
表示手段４２ｂは、例えばＬＥＤ、蛍光表示管、液晶画面などの表示機器で構成され、計数手段４２ａから出力された計数データを入力し、この計数データによる値を施解錠操作回数として表示画面上に表示している。表示手段４２ｂに表示される施解錠操作回数は、錠ケース３の所定箇所（例えば扉枠４と対向した位置や室内面側の扉２面）に形成された開口窓４３から確認することができる。なお、表示手段４２ｂによる施解錠操作回数の表示は、数値表示（デジタル表示）に限らず、所定回数毎のインジケーター表示としても良い。また、所定回数範囲毎に色分け表示することもできる。
【００２４】
電源部４２ｃは、例えば乾電池、ボタン電池などの電池が着脱交換可能に設けられる扉内電池ユニットで構成され、計数表示部４２の各部に電源を供給している。
【００２５】
次に、上記構成による施解錠操作回数検出装置１の動作について説明する。ここでは、施解錠操作回数検出装置１を一般住宅の玄関扉２に配設し、住人が電気錠の施錠操作を行った際に突出するデッドボルト１１を検出する動作例について説明する。
【００２６】
まず、解錠状態にある電気錠に対し、住人が施錠操作を行い、制御部２０に施錠動作の指示（施錠指示）が入力されると、制御部２０から駆動部３０に施錠指令又は解錠指令を出力して駆動部３０の駆動により施錠通電を開始する。この施錠通電により、デッドボルト１１がストライク５の係止穴５ａに対して所定の変位量だけ突出する。
【００２７】
制御部２０の施錠指令によりデッドボルト１１が突出すると、デッドボルト１１の突起部１１ａが検出部４１の接点機構４１ａに押圧接触し、この押圧接触によりデッドボルト１１が突出したことを示す検出信号を計数表示部４２に出力する。計数表示部４２は、検出部４１から出力された検出信号を計数し、この計数値を施解錠操作回数として表示（例えば数値表示、インジケーター表示）する。そして、施解錠操作回数の表示は、解錠・開扉時に必要に応じて開口窓４３を通じて外部から容易に確認することができる。
【００２８】
次に、本発明に係る施解錠操作回数検出装置１の第２形態について図３を参照しながら説明する。なお、第１形態と同一の構成要素には同一番号を付してその説明を省略し、第１形態と異なる構成部分のみを説明する。
【００２９】
図３に示すように、第２形態の施解錠操作回数検出装置１は、検出装置４０が扉枠４側の錠受けに内蔵された構成である。図３の例において、検出部４１は、デッドボルト１１の先端に対向してストライク５の係止穴５ａ内に設けられる。この検出部４１の接点機構４１ａは、デッドボルト１１が突出しきった位置で接点が閉じるようにデッドボルト１１の移動軌跡上に設けられる。また、係止穴５ａ内の検出部４１の上方には、計数表示部４２が検出部４１と電気的に接続されて設けられる。さらに、扉枠４には、計数表示部４２の表示手段４２ｂの表示が外部から確認できるように開口窓４３が形成される。
【００３０】
第２形態の施解錠操作回数検出装置１の検出装置４０は、施解錠操作によりデッドボルト１１が突出した際に、デッドボルト１１の先端が検出部４１の接点機構４１ａに押圧接触することでデッドボルト１１の動作回数を計数し、この計数値を施解錠操作回数として表示制御している。
【００３１】
そして、この第２形態の施解錠操作回数検出装置１では、住人が施錠操作を行って制御部２０に対して施錠動作の指示（施錠指示）が入力されると、制御部２０から駆動部３０に施錠指令又は解錠指令を出力して駆動部３０の駆動により施錠通電を開始する。この施錠通電により、デッドボルト１１がストライク５の係止穴５ａに対して所定の変位量だけ突出する。制御部２０の施錠指令によりデッドボルト１１が突出すると、デッドボルト１１の先端部分が検出部４１の接点機構４１ａに押圧接触し、この押圧接触によりデッドボルト１１が突出したことを示す検出信号を計数表示部４２に出力する。計数表示部４２は、検出部４１から出力された検出信号を計数し、この計数値を施解錠操作回数として表示（例えば数値表示、インジケーター表示）する。そして、この施解錠操作回数は、解錠・開扉時に必要に応じて開口窓４３を通じて外部から容易に確認することができる。
【００３２】
次に、本発明に係る施解錠操作回数検出装置１の第３形態について図４を参照しながら説明する。なお、第１形態や第２形態と同一の構成要素には同一番号を付してその説明を省略し、第１形態や第２形態と異なる構成部分のみを説明する。
【００３３】
図４に示すように、第３形態の施解錠操作回数検出装置１は、検出装置４０における計数表示部４２を、図示のような簡易的な外部表示装置として別体構成にし、例えば室内の壁面に設置する構成である。
【００３４】
第３形態の施解錠操作回数検出装置１の検出装置４０は、施解錠操作によりデッドボルト１１が突出した際に、このデッドボルト１１の突出を検出部４１で検出し、この検出部４１からの検出信号を別体構成の計数表示部４２の計数手段４２ａで計数し、この計数値を施解錠操作回数として表示手段４２ｂに表示制御している。
【００３５】
そして、この第３形態の施解錠操作回数検出装置１では、住人が施錠操作を行って制御部２０に対して施錠動作の指示（施錠指示）が入力されると、制御部２０から駆動部３０に施錠指令又は解錠指令を出力して駆動部３０の駆動により施錠通電を開始する。この施錠通電により、デッドボルト１１がストライク５の係止穴５ａに対して所定の変位量だけ突出する。制御部２０の施錠指令によりデッドボルト１１が突出すると、デッドボルト１１の先端部分が検出部４１の接点機構４１ａに押圧接触し、この押圧接触によりデッドボルト１１が突出したことを示す検出信号を信号線４４を介して計数表示部４２に出力する。計数表示部４２は、検出部４１から出力された検出信号を計数手段４２ａが計数し、この計数値を施解錠操作回数として表示手段４２ｂが表示（例えば数値表示、インジケーター表示）する。この第３形態によれば、計数表示部４２の表示手段４２ｂが室内の壁面に設けられるので、第１形態や第２形態のような開口窓４３が不要となり、解錠時は勿論のこと、施錠・閉扉時でも必要に応じて室内から施解錠操作回数を容易に確認することができる。
【００３６】
なお、上記第３形態では、検出部４１をデッドボルト１１に対向してストライク５の係止穴５ａに設けた構成（第２形態と同一構成）として説明したが、検出部４１を錠ケース３に設けた構成（第１形態と同一構成）とし、デッドボルト１１の進退動に連動する突起部１１ａの押圧接触によりデッドボルト１１の動作回数を検出するようにしても同様の効果を奏する。
【００３７】
また、上述した第１形態〜第３形態の施解錠操作回数検出装置１は、電気錠に採用した場合を例にとって説明したが、これに限定されるものではない。例えば扉に設けられたサムターンやシリンダ錠を人為的に施解錠操作する一般的な錠前にも採用することができる。
【００３８】
このように、本例の施解錠操作回数検出装置１によれば、施解錠時に、デッドボルト１１の進退動による施解錠操作回数を必要に応じて外部から容易に確認することができる。しかも、現物や外部に設けた簡単な装置によって施解錠操作回数の検出及び表示が行え、検出結果から電気錠の使用状況を把握し、その動作状況に応じた電気錠の故障原因を早期究明することができ、交換業者が顧客に対して交換を薦めるときの説得材料になり、交換時に顧客の了解を得易くなる。
【００３９】
ところで、第１形態や第２形態では、表示手段４２ｂの表示内容が外部から視認できるように、錠受けと対向する錠ケース３の一面や錠ケース３と対向する錠受け（ストライク５）の一面に開口窓４３を設けた構成としたが、表示手段４２ｂの表示内容が外部から目視により確認できる構成であれば、その構成や位置等が図示のものに特定されるものではない。例えば表示手段４２ｂの表示面が臨むように錠ケース３の化粧板（フロント板）に開口窓４３を設けたり、錠ケース３の化粧板を外して、その裏板に開口窓４３を設けることができる。さらに、錠ケース３のサムターンが配置される面に開口窓４３を形成すれば、解錠時は勿論のこと、施錠・閉扉時でも室内から施解錠操作回数を確認することができる。
【００４０】
また、図示の例では、検出部４１としてマイクロスイッチを例にとって説明したが、これに限定されるものではない。例えばデッドボルト１１に磁石を設け、この磁石を設けたデッドボルト１１の進退動に連動してオン・オフするリードスイッチによってデッドボルト１１の突出を検出することもできる。
【図面の簡単な説明】
【００４１】
【図１】本発明に係る施解錠操作回数検出装置の概略構成を示すブロック図である。
【図２】本発明に係る施解錠操作回数検出装置の第１形態の断面図である。
【図３】本発明に係る施解錠操作回数検出装置の第２形態の断面図である。
【図４】本発明に係る施解錠操作回数検出装置の第３形態の概略図である。
【符号の説明】
【００４２】
１  施解錠操作回数検出装置
２  扉
３  錠ケース
４  扉枠
５  ストライク
５ａ  係止穴
１０  施解錠機構
１１  デッドボルト
２０  制御部
３０  駆動部
４０  検出装置
４１  検出部
４２  計数表示部
４２ａ  計数手段
４２ｂ  表示手段
４２ｃ  電源部                                                                  ４３  開口窓
４４  信号線
【図１】
2008057179.tif 000003
【図２】
2008057179.tif 000004
【図３】
2008057179.tif 000005
【図４】
2008057179.tif 000006